(57)【要約】【課題】スピーカ２４ａ〜ｎからのテスト音の出力及び聴取位置でのマイクロホンによるテスト音の測定の手間を回避して、聴取位置における適正な音場生成のための補正値を算出できるようにする。【解決手段】製造者又はユーザは、本オーディオシステム１０が機種１か２を設定する（Ｓ１５１，Ｓ１５２）。機種には、各スピーカの有無及びサイズが対応付けられている。ユーザは、本オーディオシステム１０が配置される部屋のサイズを設定するとともに（Ｓ１５８）、聴取位置を設定する（Ｓ１７０）。機種、部屋のサイズ及び聴取位置に基づき各チャンネルのオーディオ信号の遅延時間が算出される。【選択図】図７
2007251484.tif 000002
【特許請求の範囲】
【請求項１】
スピーカシステム情報を設定するスピーカシステム情報設定手段、
前記スピーカシステムを装備するオーディオシステムが利用される環境情報がユーザにより設定される環境情報設定手段、
前記オーディオシステムにおける聴取位置がユーザにより設定される聴取位置設定手段、及び
前記聴取位置設定手段において設定された聴取位置において所定の音場を生成するように、前記環境情報設定手段により設定された環境情報に基づき前記スピーカシステムにおけるオーディオ信号を補正するオーディオ信号補正手段、
を備えることを特徴とする音場補正装置。
【請求項２】
前記各設定手段は、各々設定範囲が複数の範囲に区分けされており、前記ユーザより前記複数の区分けより選択されることにより設定することを特徴とする請求項１記載の音場補正装置。
【請求項３】
前記各設定手段は、ユーザにより設定されたパラメータを、予め設定範囲を複数の範囲に区分けされた区分けに対応させて設定することを特徴とする請求項１記載の音場補正装置。
【請求項４】
前記音場補正装置は、
さらに、前記複数の範囲に区分けされた区分けに応じた設定値が予め記憶されている設定値記憶手段を有し、
前記オーディオ信号補正手段は、
前記各設定手段により選択された前記区分けに応じて、前記設定記憶手段に記憶されている設定値により、前記スピーカシステムにおけるオーディオ信号を補正することを特徴とする請求項２又は３記載の音場補正装置。
【請求項５】
スピーカシステム情報が設定されるステップ、
前記スピーカシステムを装備するオーディオシステムが利用される環境情報がユーザにより設定されるステップ、
前記オーディオシステムにおける聴取位置がユーザにより設定されるステップ、及び
設定された聴取位置において所定の音場を生成するように、設定された環境情報に基づき前記スピーカシステムにおけるオーディオ信号を補正するステップ、
を備えることを特徴とする音場補正方法。
【発明の詳細な説明】
【技術分野】
【０００１】
本発明は、聴取位置に適切な音場を生成するためのオーディオ信号補正値を算出する音場補正装置及び方法に関するものである。
【背景技術】
【０００２】
特許文献１は、スピーカシステムの各スピーカから出力されるオーディオが聴取位置に適切な音場を生成するように、各チャンネルのオーディオ信号について遅延時間等の補正値を算出する音場補正装置を開示する。該音場補正装置では、補正値算出のために、聴取位置にマイクロホンを配置し、該マイクロホンにより、環境ノイズを測定するとともに、各スピーカからテスト音を順番に流して、聴取位置におけるテスト音を測定している。
【０００３】
また、従来より、スピーカシステムにおける各スピーカからホワイトノイズ等の測定音を流し、それをマクイロホンにより入力することにより、聴取位置における各スピーカからの伝送特性を測定し、補正するシステムも提案されている。
【特許文献１】特開２００２−３３０５００号公報
【発明の開示】
【発明が解決しようとする課題】
【０００４】
特許文献１の音場補正装置では、補正値算出のために、マイクロホンが必要となるとともに、該マイクロホンをオーディオシステムへ接続して、聴取位置に配置する必要があり、装備及び作業が煩雑となる。さらに、ホワイトノイズ等を利用した補正においては、テスト時間が必要となるとともに、テスト期間におけるスピーカからのオーディオ出力は、周囲への騒音となることもある。
【０００５】
本発明の目的は、テスト音の測定を省略して、聴取位置における適正な音場の生成のための補正を行なうことができる音場補正装置及び方法を提供することである。
【課題を解決するための手段】
【０００６】
本発明の音場補正装置は次の手段を備えている。
スピーカシステム情報を設定するスピーカシステム情報設定手段、
スピーカシステムを装備するオーディオシステムが利用される環境情報がユーザにより設定される環境情報設定手段、
オーディオシステムにおける聴取位置がユーザにより設定される聴取位置設定手段、及び
聴取位置設定手段において設定された聴取位置において所定の音場を生成するように、環境情報設定手段により設定された環境情報に基づきスピーカシステムにおけるオーディオ信号を補正するオーディオ信号補正手段。
【０００７】
本発明の音場補正方法は次のステップを備えている。
スピーカシステム情報が設定されるステップ、
スピーカシステムを装備するオーディオシステムが利用される環境情報がユーザにより設定されるステップ、
オーディオシステムにおける聴取位置がユーザにより設定されるステップ、及び
設定された聴取位置において所定の音場を生成するように、設定された環境情報に基づきスピーカシステムにおけるオーディオ信号を補正するステップ。
【発明の効果】
【０００８】
本発明によれば、オーディオシステムにおいて聴取位置に所定の音場を生成するための環境情報や聴取位置情報に伴うオーディオ信号の補正を、ユーザによる設定に基づき行なうため、マイクロホンを使用した音場補正作業が不要となり、そのためマイクロホンやマイクロホンを接続するケーブルが不要となり、音場補正作業に伴う測定音の出力などが不要となり、容易に利用場所と聴取位置にあった音場補正を行なうことができる。
【発明を実施するための最良の形態】
【０００９】
図１及び図２はオーディオシステムの機種や設置する部屋ごとに相違するスピーカの装備状態及び配置状態を例示している。図１及び図２において長方形枠は、スピーカシステムが配備される部屋の輪郭を平面視（部屋の上方から見る）で表わしており、各スピーカＬ，Ｒ，Ｃ，ＳＬ，ＳＲ，ＳＢは、背面側を部屋の壁に向けて、部屋の周辺に沿って配置される。スピーカの装備状態及び配置状態が図１及び図２にそれぞれ示されているオーディオシステムの機種をそれぞれ「機種１」及び「機種２」と呼ぶことにする。
【００１０】
図１及び図２において、各符号は次のスピーカに対応している。なお、機種２（図２）のオーディオシステムにはＳＢがない。さらに、機種１，２は共にサブウーハを装備していない。
【００１１】
Ｌ：聴取者から見て前方左に配置されるスピーカ
Ｒ：聴取者から見て前方右に配置されるスピーカ
Ｃ：聴取者から見て前方中央に配置されるスピーカ
ＳＬ：聴取者から見て左横の範囲に配置されるサラウンドスピーカ
ＳＲ：聴取者から見て右横の範囲に配置されるサラウンドスピーカ
ＳＢ：聴取者から見て後方中央に配置されるサラウンドバックスピーカ
【００１２】
図３はオーディオシステム１０の概略構成図である。オーディオシステム１０において、スピーカ２４ａ〜ｎは、図１及び図２の各スピーカに対応し、スピーカシステムを構成する。オーディオシステム１０において、スピーカシステム以外の要素は例えばアンプ装置に装備される。
【００１３】
アナログオーディオ信号は、Ａ／Ｄ変換器１１においてＡ／Ｄ変換されてから、ＤＳＰ（Digital  Signal  Processor）１３へ供給される。デジタルオーディオ信号はＤＩＲ（Digital Interface Receiver）１２を介してＤＳＰ１３へ供給される。図３には、アナログオーディオ信号、Ａ／Ｄ変換器１１、デジタルオーディオ信号及びＤＩＲ１２は、図示簡略化のため、１個ずつしか記載していないが、実際のオーディオシステム１０には、ソースからのチャンネル数に対応した個数、存在する。
【００１４】
ＤＳＰ１３は、各オーディオチャンネルごとにイコライザを実装し、各イコライザの出力は、対応のＤ／Ａ変換器２２ａ〜ｎ及びアンプ２３ａ〜ｎを経て各スピーカ２４ａ〜ｎへ送られる。なお、各チャンネルのオーディオ信号は各スピーカのオーディオ信号に対応している。ＤＳＰ１３は、マイコン１７と相互に情報を送受自在になっている。
【００１５】
操作部１８は、アンプ装置本体に装備されているもの、及びワイヤレスのリモコン機器に装備されているものの両方の操作部を含み、ユーザは操作部１８の対応のキーを操作することによりユーザ指示をオーディオシステム１０に出すことができる。操作部１８は、少なくともＳＥＴＵＰキー、ＵＰキー及びＤＯＷＮキーを含む。操作部１８におけるユーザ操作に係る情報はマイコン１７へ送られる。表示部１９は、マイコン１７から画像又はデータに係る信号を送れられて、該信号に係る画像又はテキストを表示する。
【００１６】
図４はオーディオシステム１０におけるセットアップ項目の進行説明図である。図４において、簡単セットアップＫ４５、部屋タイプＫ４６及び聴取位置Ｋ４７のセットアップ項目が、従来のセットアップ項目に対して新規に付加されたものとなっている。
【００１７】
図５はセットアップルーチンにおける開始部分のフローチャートである。図４のスピーカセットアップＫ４０、距離Ｋ４１、及びイグジット（ＥＸＩＴ：セットアップ終了）Ｋ４２は、図５のＲ１０６、Ｓ１９０以降、及びＲ１２４にそれぞれ対応している。
【００１８】
ユーザが、オーディオシステム１０の電源投入中、ＳＥＴＵＰキーを押下すると（Ｓ１０１）、セットアップが開始される。この段階では、表示部１９の表示は、ＵＰキーが押下されるごとに（Ｓ１０３，Ｓ１１１，Ｓ１２１）、「スピーカ設定」（Ｓ１０２）→「距離設定」（Ｓ１１０）→「ＥＸＩＴ」（Ｓ１２０）→「スピーカ設定」（Ｓ１０２）→・・・と切り替わり、また、ＤＯＷＮキーが押下されるごとに（Ｓ１０４，Ｓ１２２，Ｓ１１２）、「スピーカ設定」（Ｓ１０２）→「ＥＸＩＴ」（Ｓ１２０）→「距離設定」（Ｓ１１０）→「スピーカ設定」（Ｓ１０２）→・・・と切り替わる。
【００１９】
「スピーカ設定」又は「距離設定」の表示中に、ＳＥＴＵＰキーが押下されれば（Ｓ１０５，Ｓ１１３）、スピーカセットアップＲ１０６又は距離用チャンネル設定（Ｓ１９０以降）が開始される。「ＥＸＩＴ」の表示中に、ＳＥＴＵＰキーが押下されれば（Ｓ１２３）、セットアップに係る一切の表示は解除されてから（Ｓ１２５）、セットアップは終了する（Ｓ１２６）。
【００２０】
図６はセットアップルーチンの中のスピーカセットアップルーチン（図５のＲ１０６）のフローチャートである。スピーカセットアップルーチンでは、ＵＰキー又はＤＯＷＮキーが押下されるごとに（Ｓ１３１，Ｓ１４１）、表示部１９における表示が「ＥＡＳＹ  ＳＥＴＵＰ（簡単セットアップ）」及び「ＣＵＳＴＯＭ  ＳＥＴＵＰ」に切り替わる。そして、ＳＥＴＵＰキーが押下されると（Ｓ１３２，Ｓ１４２）、Ｓ１５０以降のＥＡＳＹ  ＳＥＴＵＰ又はＳ１８０以降のＣＵＳＴＯＭ  ＳＥＴＵＰへ進む。なお、Ｓ１５０以降のＥＡＳＹ  ＳＥＴＵＰは図４の簡単セットアップＫ４５に対応し、Ｓ１８０以降のＣＵＳＴＯＭ  ＳＥＴＵＰは図４のカスタムＫ５０に対応している。
【００２１】
図４に示されるように、簡単セットアップＫ４５には、部屋タイプ（Ｋ４６）及び聴取位置（Ｋ４７）の設定が後続する。また、カスタムＫ５０では、サブウーハ（Ｋ５１）、前の左右スピーカＬ，Ｒ（Ｋ５２）、前の中央スピーカＣ（Ｋ５３）、サラウンドスピーカＳＬ，ＳＲ（Ｋ５４）、サラウンドバックスピーカＳＢ（Ｋ５５）の順番にスピーカの有無及びサイズの設定が行われる。
【００２２】
図７はセットアップルーチンにおける簡単セットアップ、部屋タイプの設定及び聴取位置の設定部分のフローチャートである。これらの設定はユーザ又は製造者からの申告形式で行われる。なお、「／／」付きのステップは、注釈を意味するステップである（例：Ｓ１５５，Ｓ１６７）。
【００２３】
簡単セットアップにおける機種設定（Ｓ１５０〜Ｓ１５２）は、典型的には、オーディオシステム１０の出荷前において、製造者が行うようになっているが、ユーザが、オーディオシステム１０の購入後に、行うようにしたり、製造者及びユーザの両方が機種設定を適宜、行えるようにしたりしてもよい。部屋サイズ（Ｓ１５５）及び聴取位置（Ｓ１６７）の設定が開始すると、「部屋サイズ設定」及び「聴取位置設定」が表示部１９に表示される（Ｓ１５６，Ｓ１６８）。
【００２４】
簡単セットアップにおけるスピーカ設定において、音場補正装置が、スピーカシステムとセットになっているオーディオシステムに組み込まれている場合には、スピーカの機種は予め登録されているため、セットになっているスピーカシステム（機種）の選択及び各スピーカの接続選択（接続数確認）を行なうことになる。これに対して、音場補正装置が、スピーカシステム別売りのオーディオシステムに組み込まれている場合には、各スピーカの接続選択（接続数確認）の後に続けて、ユーザにより各スピーカのサイズの入力が行なわれる。
【００２５】
スピーカのサイズ設定では、例えば、フロントスピーカは大であるとか、リアスピーカは小であるとかのように、サイズについて適当な区分け（大／中／小）を行ない、該区分けの１個をユーザに選択させてもよいし、ユーザは、スピーカサイズは、３０ｃｍとか、１２ｃｍとかのパラメータを数値入力して、音場補正装置が、数値入力に対応する区分けを（例：”３０”の入力に対しては大の区分け、”１２”の入力に対しては小の区分け）を選択するようになっていてもよい。
【００２６】
例示している簡単セットアップでは、オーディオシステム１０の機種の申告については、機種１か機種２かの２個しか用意されていない（Ｓ１５０の正又は否）。３種以上の機種が存在する場合には、例えば、機種のリストを表示部１９に表示し、ユーザ又は製造者は、該リストにおける複数の機種の中から１個を選択する形式にする。機種ごとに、各スピーカの有無及びサイズが決まっており、機種が選択されることにより、該機種に対応する各スピーカの有無（ＯＮ／ＯＦＦ）及びサイズが決定される（Ｓ１５１，Ｓ１５２）。
【００２７】
なお、スピーカのサイズは、典型的には、具体的数値を指定することに代わりに、各スピーカについてそのサイズが大か小かを選択する形式で設定される。典型的には、スピーカの有無と、スピーカのサイズとをまとめて設定するために、各スピーカについて、大、小、無し（「無し」とはスピーカが装備されていないという意味）の中から１個が選択されることにより、行なわれる。
【００２８】
図１０は３個の部屋サイズを示している。部屋サイズは小（ＳＭＡＬＬ）、中（ＭＥＤＩＵＭ）、大（ＬＡＲＧＥ）の３個の中からユーザが選択するようにしている。ＵＰキー又はＤＯＷＮキーを押下するごとに（Ｓ１５７）、表示中、すなわち選択中の部屋サイズが切り替わり（Ｓ１５８）、ＳＥＴＵＰキーが押下されると（Ｓ１５９が正）、部屋サイズが確定される。部屋サイズが小、中、大である部屋としては、例えばそれぞれ６畳未満、６畳以上１０畳未満、及び１０畳以上の部屋に対応させることができる。
【００２９】
部屋サイズが確定されしだい、各チャンネルのディレイタイム（遅延時間）、各チャンネル用イコライザの周波数帯域ごとの係数、及びトーン（ＴＯＮＥ）が部屋サイズ及び機種に基づき設定される（Ｓ１６５，Ｓ１６６）。該設定では、部屋サイズの設定のつど、ディレイタイム等を実際に計算してもよいが、ここでは、所定のパラメータについて予め計算しておいた計算値を記憶手段に記憶しておき、設定値に対応する計算値を読み出して、ディレイタイム等を導出する。
【００３０】
次に、聴取位置の設定が行われる（Ｓ１６７）。図１１は部屋の前後方向における３個の聴取位置を示している。ユーザがＵＰキー又はＤＯＷＮキーを押下するごとに（Ｓ１６９）、表示中、すなわち選択中の聴取位置は、「前（ＦＲＯＮＴ）」、「中（ＣＥＮＴＥＲ）」及び「後ろ（ＲＥＡＲ）」の３個を循環する順番で、切り替わる（Ｓ１７０）。ＳＥＴＵＰキーが押下されると（Ｓ１７１が正）、表示中の聴取位置（Ｓ１７０）に聴取位置が確定される。聴取位置の「中」とは、部屋の前後方向へ部屋のほぼ中心位置である。聴取位置の「前」及び「後ろ」とは、「中」に対してそれぞれ前側及び後ろ側の位置になる。
【００３１】
図１２は部屋の左右方向における３個の聴取位置を示している。聴取位置の設定に関しては、図１１の前後方向における位置設定に加えて、図１２の左右方向における位置設定も行うことができる。通常は、前後方向における聴取位置設定を済ませてから、左右方向における聴取位置設定を行う。
【００３２】
左右方向における聴取位置設定においても、ユーザがＵＰキー又はＤＯＷＮキーを押下するごとに（Ｓ１６９）、左右方向聴取位置は、「左（ＬＥＦＴ）」、「中（ＣＥＮＴＥＲ）」及び「右（ＲＩＧＨＴ）」の３個を循環するように、切り替わる。なお、前後方向における聴取位置設定と、左右方向における聴取位置設定とを別々に行なうことなく、ＵＰキーの押下に対しては、前後方向の聴取位置を切替え、ＤＯＷＮキーの押下に対しては、左右方向の聴取位置を切替えるようにして、計９個の聴取位置の中の１個を表示するようにして、ＳＥＴＵＰキーの押下により、前後左右方向の位置を一気に確定するようにすることもできる。
【００３３】
聴取位置が設定されしだい、各チャンネルのディレイタイム（遅延時間）、各チャンネル用イコライザの周波数帯域ごとの係数、及びトーン（ＴＯＮＥ）が聴取位置及び機種に基づき設定される（Ｓ１７５，Ｓ１７６）。図７のフローチャートでは、先に、部屋サイズ設定が行われ、次に、聴取位置設定が行われるが、順番を逆にすることもできる。
【００３４】
図８はセットアップルーチンにおけるスピーカチャンネル設定部分のフローチャートである。スピーカチャンネル設定（Ｓ１８０）は図４のセットアップ項目のカスタムＫ５０対応し、Ｋ５１〜Ｋ５５の順番で各スピーカについて有無及びサイズがユーザ設定される。
【００３５】
最初に、「スピーカチャンネル設定」が表示される（Ｓ１８１）。この後、ＵＰキー又はＤＯＷＮキーを操作することにより（Ｓ１８２）、表示部１９における設定表示（スピーカチャンネルの有無やサイズ）を切替える（Ｓ１８３）。ユーザは、表示中の設定を確定する場合には、ＳＥＴＵＰキーを押下し（Ｓ１８４）、その次のスピーカに対する設定を続け（Ｓ１８５→Ｓ１８６→Ｓ１８１）、全部のスピーカについての設定が終了すると、Ｓ１１０（図５）へ進む。
【００３６】
スピーカチャンネル設定の順番は、図４のＫ５１〜Ｋ５５のスピーカ順番になる。Ｓ１８３における設定表示では、サブウーハはオン／オフ（有り／無し）、前スピーカＬ，Ｒについては大サイズ／小サイズ、中央スピーカＣについては大サイズ／小サイズ／無し、サラウンドスピーカＳＬ，ＳＲについては大サイズ／小サイズ／無し、サラウンドバックスピーカＳＢについては大サイズ／小サイズ／無しと切替わるようになっている。
【００３７】
図９はセットアップルーチンにおける距離用チャンネル設定部分のフローチャートである。距離用チャンネル設定は、図４のＫ６０〜Ｋ６６に対応しており、スピーカＬ，Ｃ，Ｒ，ＳＲ，ＳＢ，ＳＬ及びサブウーハの順番で行われる。
【００３８】
最初に、表示部１９には、「距離用チャンネル設定」が表示される（Ｓ１９１）。ユーザは、各チャンネルに対応付けられているスピーカについて、そのスピーカから聴取位置までの距離をＵＰキー又はＤＯＷＮキーを押下して設定し（Ｓ１９２，Ｓ１９３）、その後、ディレイタイムが計算される（Ｓ１９４）。ＵＰキー又はＤＯＷＮキーの代わりに、ＳＥＴＵＰキーが押下されると（Ｓ１９５）、もし次のチャンネルが存在するならば（Ｓ１９６が正）、該次のチャンネルについて、同一の処理が繰り返され（Ｓ１９７→Ｓ１９１）。全チャンネルについてのディレイタイムが計算されると（Ｓ１９６が否）、Ｓ１２０へ進む。
【００３９】
図１３は音場補正装置２００のブロック図である。前述の図７の設定部分は、音場補正装置２００が実施する処理内容の一例となっている。音場補正装置２００は、スピーカシステム情報設定手段２０１、環境情報設定手段２０２、及び聴取位置設定手段２０３を備えている。
【００４０】
スピーカシステム情報設定手段２０１はスピーカシステム情報を設定する。環境情報設定手段２０２は、スピーカシステムを装備するオーディオシステムが利用される環境情報がユーザにより設定される。聴取位置設定手段２０３は、オーディオシステムにおける聴取位置がユーザにより設定される。
【００４１】
オーディオ信号補正手段２０４は、聴取位置設定手段２０３において設定された聴取位置において所定の音場を生成するように、環境情報設定手段環境情報により設定された環境情報に基づきスピーカシステムにおけるオーディオ信号を補正する。
【００４２】
ＡＶシステムは当然にオーディオシステムを含むものであり、音場補正装置２００はＡＶシステムにも適用可能である。オーディオシステムでは、機種ごとに、該オーディオシステムが装備するスピーカシステムが異なっている。機種には、例えば、スピーカシステムにおける各スピーカの有無、及び／又は各スピーカのサイズに係るスピーカシステム情報が対応付けられている。スピーカのサイズの設定には、細かく寸法を規定することによる設定以外に、サイズが大及び小か、又はサイズが大、中、小のどれかのように、区分けであってもよいとする。
【００４３】
環境情報は、例えば、部屋の広さ（例：図１０）であるが、それに限定されず、部屋の壁、天井及び床が音を反射し易いとか吸収し易いとかの音反射環境等、他の環境情報でもあってもよいとする。
【００４４】
スピーカシステム情報、環境情報、聴取位置の設定は、典型的には、ユーザが音場補正装置２００を購入し、該音場補正装置２００の使用開始時に行うものであるが、一部スピーカの変更、追加又は削除があったり、音場補正装置２００を配置する部屋を変更したり、聴取位置を変更したりするつど、適宜、行われてよい。
【００４５】
スピーカシステム情報の設定は、典型的には、オーディオシステムの製造者が該オーディオシステムの出荷前に行う。しかしながら、ユーザが製造者の代わりに行えるようにしてもよいし、また、製造者及びユーザの両方が設定できるようになっていてもよい。
【００４６】
スピーカシステム情報の設定とは例えばオーディオシステムの機種を設定することにより行なわれてもよく、その場合、ユーザは、機種を厳密に識別する必要はない。機種は、例えば、スピーカシステムにおける各スピーカの有無、及び／又はスピーカサイズ等のスピーカ情報に対応付けられるものであり、機種名称が異なっていても、各スピーカの有無、及び／又はスピーカサイズ等が同一であれば、音場補正装置２００におけるスピーカシステム情報は同一のものを対応付けることができる。
【００４７】
ユーザは、音場補正装置２００の購入後、一部のスピーカを同一又は別の製造者（メーカー）のスピーカへ変更したり、追加したり、削除したりする場合があるが、製造者の同一及び相違に関係なく、各スピーカの有無、及び／又はスピーカサイズ等が同一であれば、それらについて同一の機種を設定することができる。すなわち、音場補正装置２００では、スピーカシステムにおける各スピーカの有無、及び／又は各スピーカのサイズが同一である機種は、同一の機種に分類されて、それに対応付けられているスピーカシステム情報を同一とすることができる。
【００４８】
オーディオ信号補正手段２０４は、スピーカシステムにおける各チャンネルのオーディオ信号について、例えば、遅延時間、チャンネル間のオーディオ信号レベル、各チャンネルのイコライザ、及び／又はトーンを調整することにより、各オーディオ信号を補正する。
【００４９】
好ましくは、各設定手段２０１，２０２，２０３は、各々設定範囲が複数の範囲に区分けされており、ユーザより複数の区分けより選択されることにより設定する（例：図１０〜図１２）。あるいは、各設定手段２０１，２０２，２０３は、ユーザにより設定されたパラメータを、予め設定範囲を複数の範囲に区分けされた区分けに対応させて設定する。これにより、ユーザは能率的に設定作業を行うことができる。
【００５０】
音場補正装置２００は、さらに、複数の範囲に区分けされた区分けに応じた設定値が予め記憶されている設定値記憶手段を有していてもよい。そして、オーディオ信号補正手段２０４は、各設定手段２０１，２０２，２０３により選択された区分けに応じて、設定記憶手段に記憶されている設定値により、スピーカシステムにおけるオーディオ信号を補正する。
【００５１】
こうして、音場補正装置２００では、各スピーカからのオーディオ出力に対し聴取位置において所定の音場を生成するためのオーディオ信号の補正を、各スピーカからのテスト音の出力及び該出力音についての聴取位置でのマイクロホンにより測定するというテストの実施を省略して、適正な補正値を算出できる。また、ユーザはおおまかな選択要素の選択のみで、詳細な知識が無くとも容易かつ能率的に設定作業を行なうことが可能となる。
【００５２】
図１４は音場補正方法２３０のフローチャートである。Ｓ２３１では、スピーカシステム情報が設定される。Ｓ２３２では、スピーカシステムを装備するオーディオシステムが利用される環境情報がユーザにより設定される。Ｓ２３３では、オーディオシステムにおける聴取位置がユーザにより設定される。
【００５３】
Ｓ２３４では、設定された聴取位置において所定の音場を生成するように、設定された環境情報に基づきスピーカシステムにおけるオーディオ信号を補正する。
【００５４】
音場補正装置２００に適用した次の各具体的態様は、音場補正方法２３０の具体的態様としても適用可能である。
【００５５】
・Ｓ２３１，Ｓ２３２，Ｓ２３３では、設定範囲が複数の範囲に区分けされており、ユーザは複数の区分けの中から、対応する区分けを選択すること。
【００５６】
・Ｓ２３１，Ｓ２３２，Ｓ２３３では、ユーザにより設定されたパラメータを、予め設定範囲を複数の範囲に区分けされた区分けに対応させて設定すること。
【００５７】
・複数の範囲に区分けされた区分けに応じた設定値が予め記憶しておき、Ｓ２３４では、予め記憶している設定値により、Ｓ２３１，Ｓ２３２，Ｓ２３３で記憶されている設定値により、スピーカシステムにおけるオーディオ信号を補正すること。
【００５８】
本発明は、プログラムとしても実施可能である。該プログラムは、音場補正装置２００の各手段としてコンピュータを機能させる。該プログラムは、また、音場補正方法２３０の各ステップをコンピュータに実行させるものであってもよい。
【００５９】
本発明を最良の形態及び実施例について説明したが、本発明は、これに限定されるものではなく、発明の要旨を逸脱しない範囲で、最良の形態及び実施例における各構成要素を変形して具体化できる。また、発明の要旨を逸脱しない範囲で、最良の形態及び実施例に開示されている複数の構成要素を便宜、組み合わせて、追加したり、いくつかの構成要素を削除したりして、種々の発明を形成することができる。さらに、開示した複数の実施形態間で、所定の構成要素を選択し、それらを組み合わせても、種々の発明を形成することができる。
【図面の簡単な説明】
【００６０】
【図１】第１の機種のオーディオシステムにおけるスピーカの装備状態及び配置状態を示す図である。
【図２】第２の機種のオーディオシステムにおけるスピーカの装備状態及び配置状態を示す図である。
【図３】オーディオシステムの概略構成図である。
【図４】オーディオシステムにおけるセットアップ項目の進行説明図である。
【図５】セットアップルーチンにおける開始部分のフローチャートである。
【００６１】
【図６】セットアップルーチンの中のスピーカセットアップルーチンのフローチャートである。
【図７】セットアップルーチンにおける簡単セットアップ、部屋タイプの設定及び聴取位置の設定部分のフローチャートである。
【図８】セットアップルーチンにおけるスピーカチャンネル設定部分のフローチャートである。
【図９】セットアップルーチンにおける距離用チャンネル設定部分のフローチャートである。
【図１０】３個の部屋サイズを示す図である。
【００６２】
【図１１】部屋の前後方向における３個の聴取位置を示す図である。
【図１２】部屋の左右方向における３個の聴取位置を示す図である。
【図１３】音場補正装置のブロック図である。
【図１４】音場補正方法のフローチャートである。
【符号の説明】
【００６３】
２００：音場補正装置、２０１：スピーカシステム情報設定手段、２０２：環境情報設定手段、２０３：聴取位置設定手段、２０４：オーディオ信号補正手段、２０７：機種情報受付け手段、２３０：音場補正方法。
【図１】
2007251484.tif 000003
【図２】
2007251484.tif 000004
【図３】
2007251484.tif 000005
【図４】
2007251484.tif 000006
【図５】
2007251484.tif 000007
【図６】
2007251484.tif 000008
【図７】
2007251484.tif 000009
【図８】
2007251484.tif 000010
【図９】
2007251484.tif 000011
【図１０】
2007251484.tif 000012
【図１１】
2007251484.tif 000013
【図１２】
2007251484.tif 000014
【図１３】
2007251484.tif 000015
【図１４】
2007251484.tif 000016